(57)【要約】【課題】海水取水部へのクラゲの侵入を効率的に防止可能で、かつ、クラゲの大量来襲時においても海水取水部において安定した取水が可能なクラゲ侵入防止装置の提供を目的とする。【解決手段】海水取水部１を包囲するクラゲ侵入防止ネット２を有し、前記クラゲ侵入防止ネット２の下端部には、海底等の設置基部３上に着地する下端縁に至るまで両側縁が隣接部から切り離されて隣接部４に対して相対移動可能な可動カーテン部５を形成して構成する。クラゲ侵入防止ネット２が海水取水部１全体を覆うとともに、クラゲが大量付着時には、可動裾部５が負圧により移動して取水用の開口が確保される。【選択図】  図１
2004225482.tif 000002
【特許請求の範囲】
【請求項１】
海水取水部を包囲するクラゲ侵入防止ネットを有し、
前記クラゲ侵入防止ネットの下端部には、海底等の設置基部上に着地する下端縁に至るまで両側縁が隣接部から切り離されて隣接部に対して相対移動可能な可動カーテン部が形成されるクラゲ侵入防止装置。
【請求項２】
設置基部上に配置され、クラゲ侵入防止ネットの浮き上がりを防止するアンカー体を有し、
前記可動カーテン部は、両側縁をアンカー体に沿わせて配置される請求項１記載のクラゲ侵入防止装置。
【請求項３】
前記可動カーテン部にはチェーン状の重錘が固定され、下端縁が設置基部上に置かれた垂下姿勢を保持する請求項１または２記載のクラゲ侵入防止装置。
【発明の詳細な説明】
【０００１】
【発明の属する技術分野】
本発明は、クラゲ侵入防止装置に関するものである。
【０００２】
【従来の技術】
従来、海底に設置された海水取水部へのクラゲの流入を防止するために、海水取水部をクラゲの通り抜けができない程度の編み目のクラゲ防止ネットで覆うことがなされている。しかし、このようなクラゲ侵入防止装置においては、海水取水部となる取水先端装置等の周辺をクラゲ防止ネットで隙間なく覆うことから、クラゲの大量来襲時にクラゲ防止ネットの全面がクラゲによって閉塞されて取水が不能になる、あるいは、クラゲ防止ネットやそれを支えるフレーム等が破損するなどの問題が発生していた。
【０００３】
このため、特許文献１に記載されるように、クラゲ防止ネットを昇降ブイによって上下移動可能に形成し、クラゲの付着等を防止することが提案されているが、付着するクラゲの量などによって昇降ブイの浮上や降下が乱れやすく信頼性に劣る。
【０００４】
これに対し、近年、図４に示すように、クラゲ防止ネット２に開口部２１を設けて簡易な構造で取水を確保することも提案されている。この図４に示す従来例によれば、取水先端装置を包囲するクラゲ侵入防止ネット２の下端縁と海底３との間には下部開口部２１が設けられ、クラゲ２０が大量来襲してクラゲ侵入防止ネット２の全面にクラゲ２０が付着した場合であっても、下部開口部２１からの取水を確保できるように配慮される。
【０００５】
【特許文献１】
特開２００１−１０７３４４号公報
【０００６】
【発明が解決しようとする課題】
しかし、上述した従来例において、緊急取水開口として設定された下部開口部は、通常の取水時においてはクラゲの侵入口となるために、海水取水部へのクラゲの侵入を完全に防止できないという欠点がある。
【０００７】
本発明は、以上の欠点を解消すべくなされたものであって、クラゲの侵入を効率的に防止可能で、かつ、クラゲの大量来襲時においても安定した取水が可能なクラゲ侵入防止装置の提供を目的とする。
【０００８】
【課題を解決するための手段】
本発明によれば上記目的は、
海水取水部１を包囲するクラゲ侵入防止ネット２を有し、
前記クラゲ侵入防止ネット２の下端部には、海底等の設置基部３上に着地する下端縁に至るまで両側縁が隣接部から切り離されて隣接部４に対して相対移動可能な可動カーテン部５が形成されるクラゲ侵入防止装置を提供することにより達成される。
【０００９】
クラゲ侵入防止装置は、海水取水部１を包囲するようにして適宜の張設手段で張設されるクラゲ侵入防止ネット２を有して構成され、クラゲ侵入防止ネット２は、通常の運用状態において、下縁が全周に渡って海底等の設置基部３に接触し、海水取水部１全体を覆って、海水取水部１へのクラゲの侵入を防止する。
【００１０】
この状態からクラゲが大量来襲してネット本体に付着すると、隣接部４に対して相対移動可能な可動カーテン部５は、海水取水部１近傍に発生した負圧等により、下端が設置基部３上をこすりながら海水取水部１側に移動する。可動カーテン部５下縁の移動によって隣接部４との境界部には、取水用の開口が形成されて取水できる。
【００１１】
したがってこの発明において、通常状態においては海水取水部１の周囲を完全に覆うことにより、クラゲの海水取水部１への侵入を完全に防止することができ、さらに、クラゲの大量来襲時においても、取水用の開口が形成されて安定した取水が可能になる。
【００１２】
可動カーテン部５は、クラゲ侵入防止ネット２の下端部に下端縁に至るまで縦方向に切り込みを入れて形成したり、あるいは予め下部カーテンとして別体に形成されたものを連結したものであってもよく、また、可動カーテン部５の隣接部４は、可動カーテン部５であっても、あるいは設置基部３に対して移動不能なものであってもよい。
【００１３】
可動カーテン部５と移動不能部を交互に配置することは、可動カーテン部５の移動により確実に取水用の開口を形成し、信頼性を高めるために有効である。この場合、例えば、クラゲ侵入防止ネット２の下端部に適宜間隔で下端縁に至るまで縦方向に切り込みを入れて暖簾状とし、交互に可動カーテン部５と、下端縁が設置基部３に固定される移動不能部とすることも可能であるが、クラゲ侵入防止ネット２をアンカー体６で固定する場合には、アンカー体６を移動不能として利用し、アンカー体６間に可動カーテン部５を形成することができる。
【００１４】
可動カーテン部５の数量、高さ等は、非常時、すなわち、クラゲの大量来襲時において必要な開口面積を考慮して適宜決定されるが、このように、アンカー体６の間に可動カーテン部５を配置した場合には、可動カーテン部５の数量が比較的少なくなるために、非常時から通常状態に復帰した際の可動カーテン部５の原位置復帰操作も容易になることから、メンテナンス性が向上する。
【００１５】
さらに、可動カーテン部５の下端を設置基部３上に適宜の移動抵抗をもって載せておくことは、通常状態における不用意な取水用開口の形成を防止する上で有効であり、この場合、可動カーテン部５にチェーン状の重錘７を固定すると、設置基部３に不陸があっても、可動カーテン部５の下端縁を設置基部３に確実に沿わせることができる。
【００１６】
【発明の実施の形態】
図１に示すように、クラゲ侵入防止装置は、クラゲ侵入防止ネット２と、このクラゲ侵入防止ネット２を取水先端装置（海水取水部１）を包囲するように固定するための固定部材１１とから構成される。なお、この実施の形態において、取水管１０の先端に固定される取水先端装置１は、上面が閉塞され、図示しない側方に開口して主に水平方向から海水を吸い込む。
【００１７】
固定部材１１は、取水先端装置１に固定される取付架台１３と、パイプ体を枠組みして形成される取付フレーム１２と、取水先端装置１を包囲するように海底（設置基部３）上に所定ピッチで載置される略長方体形状のアンカーブロック（アンカー体６）とからなり、取付架台１３とアンカーブロック６とに取付フレーム１２の両端部を連結して形成される。取水管１０に支持されて海底から適宜高さ上方に取水先端装置１が位置するとともに、取水先端装置１からやや離れた位置にアンカーブロック６が配置されることで、取付フレーム１２は取付架台１３とアンカーブロック６との間に斜めに架け渡される。
【００１８】
クラゲ侵入防止ネット２は、取水先端装置１の上面に被さり、取付フレーム１２に沿って取水先端装置１から離れる方向に斜めに垂れ下がることにより截頭角錐形状となって取水先端装置１全体を取り囲み、海底を利用して包み込む。なお、クラゲ侵入防止ネット２は、取付架台１３、取付フレーム１２やアンカーブロック６等に結びつけることにより固定部材１１に容易に固定することが可能である。
【００１９】
上記クラゲ侵入防止ネット２は、クラゲが通過不能な程度の編目サイズを有する網体であり、下端部に可動カーテン部５を有する。この実施の形態において、可動カーテン部５は、ネット本体部１５の下端に設けられた横フレーム１４に１ｍ程度の下部カーテンを連結して形成される。
【００２０】
図１に示すように、可動カーテン部５は、高さ寸法がアンカーブロック６の高さ寸法より長く、幅寸法がアンカーブロック６間の間隔にほぼ等しい横長長方形形状に形成される。この可動カーテン部５の下端縁には、重錘７としてのチェーンが全長に渡って固定されており、設置状態において、チェーン７が海底３の不陸に沿って変形し、可動カーテン部５の下端縁と海底３との間に隙間が生じるのが防止される。
【００２１】
したがってこの実施の形態において、通常の状態においては、取水先端装置１の周囲は全面に渡ってクラゲ侵入防止ネット２により包囲されているために、取水先端装置１にクラゲ２０が吸い込まれることはない。
【００２２】
これに対し、クラゲ２０が大量に来襲し、クラゲ侵入防止ネット２に付着した場合には、隣接する不動のアンカーブロック６（隣接部材４）に対して可動カーテン部５のみが下端縁を海底３に引きずりながら取水先端装置１側に移動する。
【００２３】
可動カーテン部５の移動により、図２（ｂ）に示すように、可動カーテン部５の両側縁と隣接部４であるアンカーブロック６との間には開口１６が形成され、以後、該開口１６からの取水が可能になる。
【００２４】
なお、開口１６は、前述したように可動カーテン部５の側縁とアンカーブロック６の側壁との間に取水方向と略直交方向に形成されるほか、図２（ｂ）に示すように、強い負圧等によって可動カーテン部５の下端縁が浮き上がった場合には、可動カーテン部５の下端縁と海底３との間に取水方向に沿って形成することも可能である。また、図１（ｂ）においては、チェーン７は可動カーテン部５の下端縁全長に渡って固定される場合を示したが、図３（ａ）に示すように、縦方向に所定間隔をおいて固定することもできる。この場合には、図３（ｂ）に示すように、可動カーテン部５の下端縁は、チェーン７が固定される中間部においてめくれあがって海底３との間に開口１６を形成することができるために、クラゲ２０の大量来襲時における開口面積を大きくすることができる。
【００２５】
また、図１（ｂ）においては、一対のアンカーブロック６、６間に配置される可動カーテン部５は一枚の横長矩形に形成されるが、可動カーテン部５を暖簾あるいは短冊状の複数枚に構成することもできる。この場合には、クラゲ２０が付着して負圧が高くなった可動カーテン部５のみが移動することにより、隣接する可動カーテン部５間に開口１６を確保することができる。
【００２６】
さらに、以上においては、可動カーテン部５はネット本体部１５の下端に下部カーテンを連結して形成される場合を示したが、ネット本体部１５の下端に縦方向の切れ目を入れることにより形成することもできる。
【００２７】
【発明の効果】
以上の説明から明らかなように、本発明によれば、海水取水部へのクラゲの侵入を効率的に防止することができるとともに、クラゲの大量来襲時においても海水取水部で安定した取水ができることから、火力発電所等の施設に冷却水を安定供給することが可能となる。
【図面の簡単な説明】
【図１】本発明を示す図で、（ａ）は全体図、（ｂ）はクラゲ侵入防止ネットの下端近傍を示す要部側面図である。
【図２】クラゲ侵入防止ネットの下端近傍を示す要部断面図で、（ａ）は定常状態を示す図、（ｂ）は可動カーテン部の移動後の状態を示す図である。
【図３】本発明の他の実施の形態におけるクラゲ侵入防止ネットの下端近傍を示す要部側面図で、（ａ）は定常状態を示す図、（ｂ）は可動カーテン部がめくれあがった状態を示す図である。
【図４】従来例を示す図で、（ａ）はクラゲ侵入防止ネットの下端近傍を示す要部側面図、（ｂ）は（ａ）の断面図である。
【符号の説明】
１  海水取水部
２  クラゲ侵入防止ネット
３  設置基部
４  隣接部
５  可動カーテン部
６  アンカー体
７  重錘
【図１】
2004225482.tif 000003
【図２】
2004225482.tif 000004
【図３】
2004225482.tif 000005
【図４】
2004225482.tif 000006